(57)【特許請求の範囲】
【請求項１】
筐体内部を垂直方向へ延びる仕切板で、熱交換器室と機械室とに分割し、その機械室に圧縮機と、四方弁と、冷媒の流量を調節する電動弁とを含む被制御部品を冷媒配管で接続して内蔵した室外ユニットを有する空気調和装置において、
前記電動弁は、緩衝性を持つ防振材で覆われる構成とし、
前記防振材は、円筒形をした主部と、前記円筒形の主部の側面より延び、先端が曲がった副部とからなる二股形状を成すと共に、前記主部と前記副部の一部に切れ込みを有し、この切れ込みを左右に開いて、前記電動弁の冷媒が流通する部分に取り付け、この電動弁の冷媒が流通する部分を覆う構成としたことを特徴とする空気調和装置。
【発明の詳細な説明】
【０００１】
【発明の属する技術分野】
冷媒を圧縮機にて圧縮し、四方弁により、前記冷媒の循環方向を反転させて冷暖房を行う空気調和装置の電動弁などの被制御部品を通過する際に発生する冷媒音の軽減に関する。
【０００２】
【従来の技術】
これまで、前記被制御部品や、冷媒配管を通過する際に発生する冷媒音については、ビブインスなど粘着性を持った板状のものを貼り付けて使用する防振材により、音の発生の防止あるいは、吸音をさせていた。
【０００３】
【発明が解決しようとする課題】
しかし、ビブインスなどの粘着性を持った防振材は、貼り付けの位置出しや、形状を特定できず、組立作業時、その粘着性から思わぬ箇所に貼り付いてしまうなど、作業性に難しい面があり、また、メンテナンス時の点検や部品交換などの際に、前記ビブインスなどの防振材を取り外さねければならないケースなどがあり、作業性の上で問題点があった。
【０００４】
また、１度使用したビブインスは、再利用することは出来ず、廃棄処分となるため、環境面においても、懸念される面を持っていた。
【０００５】
そこで、本発明の目的は、再利用でき、取り付けの位置出しおよび、形状を特定でき、作業性を向上させた防振材により冷媒音の発生を軽減できるようにした空気調和装置を提供することにある。
【０００６】
【課題を解決するための手段】
請求項１に記載の発明は、筐体内部を垂直方向へ延びる仕切板で、熱交換器室と機械室とに分割し、その機械室に圧縮機と、四方弁と、冷媒の流量を調節する電動弁とを含む被制御部品を冷媒配管で接続して内蔵した室外ユニットを有する空気調和装置において、前記電動弁は、緩衝性を持つ防振材で覆われる構成とし、前記防振材は、円筒形をした主部と、前記円筒形の主部の側面より延び、先端が曲がった副部とからなる二股形状を成すと共に、前記主部と前記副部の一部に切れ込みを有し、この切れ込みを左右に開いて、前記電動弁の冷媒が流通する部分に取り付け、この電動弁の冷媒が流通する部分を覆う構成としたことを特徴とする。
【０００７】
【０００８】
【０００９】
【００１０】
【発明の実施形態】
以下、本発明の一実施形態について、図１から図４を参照して説明する。
【００１１】
図１は、室外ユニットの構成を示した概略図で、その筐体については、前面と天面を覆う外装ケース２と、両側面と背面を覆う外装ケース３と、底面板４で構成されており、外装ケース２の前面には、熱交換を行った空気を排出する排出口１０が設けられ、この排出口１０には、その奥の熱交換器室７へ石などの障害物が侵入し、回転する室外送風機２０を破損しないためと、誤って指などを入れ怪我などの事故に至らない様に、吹出しグリル１１が設けられている。
【００１２】
そして、外装ケース３の左側面には、この室外ユニット１を運搬あるいは、据付け作業を行う時の取っ手１２が設けられ、右側面には、底面板４に固定された室内ユニットへ冷媒配管を接続するバルブ１８を固定する配管板１７を露出させるための切り欠き１３と、室内ユニットからの電源および、通信配線を室外制御部９の端子板２９へ接続するための配線口１４が設けられ、背面には、熱交換器室７へ大気を通風させる開口１５が設けられている。
【００１３】
また、底面板４には、その下面に、この室外ユニット１の据付けの支持となる台座１６が、底面板４の長手方向の両端付近で、この方向と直交する方向に向けて設けられ、上面は、室外ユニット１の熱交換器室７と、機械室８と、その機械室８の上の室外制御部９との各部品を載置して、これらを支持し、右側縁部には、室内ユニットへ冷媒配管を接続するためのバルブ１８を固定する配管板１７が設けられている。
【００１４】
そして、室外ユニット１の内部は、Ｌの字型に近い形に曲げられて、前記機械室８へ向いた面に吸音材４３が貼り付けられた垂直方向に延びる仕切板５で、熱交換器室７と、機械室８とに分割され、一方の熱交換器室７には、室外送風機２０と、一端を底面板４上に固定され、他端を室外熱交換器１９に掛止された室外送風機２０を支持する室外送風機アングル２１と、室外熱交換器１９とが、底面板４上に載置されて内蔵され、他方の機械室８には、圧縮機２２と、アキュームレータ２３と、四方弁２４と、電動弁２５と、キャピラリチューブ２６とが冷媒配管で接続されて底面板４上に載置されて内蔵され、電源部品のリアクタ２７も仕切板５の上部に固定されて内蔵されている。
【００１５】
そして、機械室８の上部には、上下仕切板６が、この機械室の天面を覆う様に取り付けられ、この上下仕切板６上には、室外ユニット１の運転制御や、室内ユニットとの通信を行う室外電装箱２８と、室内ユニットからの電源および、通信配線を接続する端子板２９と、ヒューズ３１と、この上下仕切板６の下に位置する機械室８への配線を中継するコネクタ３０が設けられて、室外制御部９を構成している。
【００１６】
次に、図２および図３を参照して、図２は、上記室外ユニットの機械室８内部について表した図であるが、本発明による再使用でき、緩衝性を持った成形品による防振材３２を電動弁２５に取り付けた図で、電動弁２５は、液管バルブ１８Ａと、室外熱交換器１９とをつなぐ冷媒配管上に設けられ、室外ユニット１の機械室内に取り付けられた部品で、その開度を室外制御部９からの信号により可変させて、冷媒の流量を調節する制御装置である。
【００１７】
ここで、電動弁について説明すると、その構造は、図３に示す様に、コイル部３３と、電動弁本体部３４とに大別されており、一方のコイル部３３は、図示はしていないが、複数のコイルを巻いた鉄心を輪状に並べて樹脂モールドされたコイル３６と、このコイル３６を収めたコイルケース３５と、前記コイル３６から延びた制御配線３７で構成され、他方の電動弁本体部３４は、継手３８および３９と、本体４０とからなる本体部４３と、ケース４１および下蓋４２に収められた制御部４４により構成され、上記コイル部３３は、ケース４１側壁の下方へ、前記ケース４１を囲う様に取り付けられ、コイル部３３に設けられた凸部５９を電動弁本体部３４のケース４１の上部表面に設けられた凹部６０に掛止させて取り付けている。
【００１８】
また、この電動弁本体部３４の内部構造について説明すると、制御部４４は、ケース４１と、下蓋４２とで外装を囲われており、その内部は、電動弁の開度制限を行っているステム４８や、ガイド４９や、スライダ５０から構成される制限部５５と、前記コイル部３３からの励磁により、回転する樹脂ロータ５１や、マグネット５２や、雌ネジ５３で構成される回転部５６と、後述する調流部４７まで延びたニードル４６と、このニードル４６に固定された雄ネジ５４とから構成される稼動部５７の３つで構成されており、この回転部５６と、上述のコイル部３３とで、ステッピングモータが構成されている。また、この制御部４４の下方に取り付けられている本体部４３は、調流部４７を持つ本体４０と、この調流部４７の底面には、弁座４５が設けられ、この弁座４５の下から延在された継手３９と、調流部４７の側壁から延在された継手３８とを備え、上記ニードル４６が、この弁座４５を上方より蓋をする形に取り付けられた構造となっている。
【００１９】
そして、この電動弁２５の動きについて説明すると、上記コイル部３３に内蔵された複数のコイルに制御配線３７を通じて、順次電圧を印可して、励磁することにより、制御部４４内に収められたマグネット５２が回転させられ、これにより、このマグネット５２に固定されている樹脂ロータ５１や雌ネジ５３も回転し、この雌ネジ５３と嵌合された雄ネジ５４および、この雄ネジ５４に固定されたニードル４６が、上下方向に移動する様になっており、例えば、前記雌ネジ５３を持つ回転部５６が反時計回りの方向へ回転した場合、制御部４４の上部に設けられた制限部５５のスライダ５０を回転させてガイド４９により、ステム４８上を上方に移動させるとともに、回転部５６の雌ネジ５３も回転し、この雌ネジ５３と嵌合した雄ネジ５４を引き上げる。
【００２０】
これによって、電磁弁本体部３４の下方に設けられた本体４０内の調流部４７まで延ばされた前記雄ネジ５４に取り付けられたニードル４６も引き上げられて、弁座４５との間に隙間ができ、継手３８あるいは、継手３９のどちらか一方より侵入して来た冷媒が、この隙間を通り、他方の継手へと流通出来る様になっており、前記回転部５６が、全開状態まで回転するとスライダ５０の突起５７と、ガイド４９の上端に設けられたストッパ５８とが当たり、これ以上、回転部５６が回転しない様にしている。
【００２１】
これに対し、制御部４４内に収められた前記雌ネジ５３を持つ回転部５６が時計回りの方向へ回転した場合、制御部４４の上部に設けられた制限部５５のスライダ５０を回転させてガイド４９により、ステム４８上を下方に移動させるとともに、回転部５６の雌ネジ５３も回転し、この雌ネジ５３と嵌合した雄ネジ５４を押し下げ、電磁弁本体部３４の下方に設けられた本体４０内の調流部４７まで延ばされた上記雄ネジ５４に取り付けられたニードル４６も押し下げて、弁座４５との間の隙間を狭めて行き、最終的には、ニードル４６が弁座４５に当たることにより、これ以上、回転部５６が回転しない様に止められ、この弁座４５の中央に設けられた孔をニードル４６で塞いで全閉状態となって、継手３８あるいは、継手３９のどちらか一方より侵入して来た冷媒の流通を遮断している。
【００２２】
この様にして、前記ニードル４６と、前記弁座４５との開度の調節を行うことにより、冷媒配管内を流通する冷媒の流量を調節しているが、調流室４７前後の冷媒圧力に差があることや、必ずしも完全な液冷媒あるいは、ガス冷媒のみが流通する箇所で無いため、気泡を含んだガス冷媒と液冷媒の中間の状態である冷媒が流通する時など、冷媒音が発生してしまう。
【００２３】
そこで、本発明による防振材３２は、ゴムやウレタンなどの緩衝性および吸音性を持った材質を使用して成形された図４および図５に示す様な部品で、上記冷媒音の発生源となる電動弁２５の本体部４３を覆うものである。
【００２４】
図４は、全体の形状を表現するため、電動弁２５の側方で、継手３８寄りのやや上方の位置から示した図および、防振材３２を切れ込み６１および、６２の面（斜線部）で切断した断面図で、図５は、電動弁２５への取り付けのため設けた、切れ込み６１および６２を表示するため、電動弁２５の側方で、継手３８とは反対側のやや上方の位置から示した図である。
【００２５】
図４のＢ部は、図３の電動弁２５の継手３８を覆い、Ｃ部は、本体部４３から継手３９を覆う部分で、その内部は、電動弁２５の本体部４３の形状に合わせて成形されており、前記電動弁２５への取り付けるための切れ込み６１と６２が設けられ、この切れ込み６１は、Ｃ部の上端から下端までの切れ込みとなっており、また、切れ込み６２は、Ｃ部の切れ込み６１と対向する面に設けられた切れ込みで、Ｃ部下端よりＢ部の下面を通り、Ｂ部の先端まで下面側を切り込んで、図５のＤに示す様に、この切れ込み６１を左右に開いて、電動弁２５の継手３８側より、前記電動弁の継手３８および、本体部４３へ取り付ける様になっている。
【００２６】
このとき、この防振材３２の内部は、上記の様に電動弁２５の形状に合わせて成形され、材質も上記の様にゴムやウレタンなどの材質を使用しての成形品であるため、形状の復元性もあり、継手３８および、本体部４３のいわばＴ形となる部分に取り付けることから、特にテープやクランパなどで固定する必要も無く固定される。
【００２７】
【発明の効果】
以上の説明から明らかなように、被制御部品である電動弁が緩衝性を持つ防振材で覆われる構成であり、この防振材は、円筒形をした主部と、前記円筒形の主部の側面より延び、先端が曲がった副部とからなる二股形状を成すと共に、前記主部と前記副部の一部に切れ込みを有し、この切れ込みを左右に開いて、前記電動弁の冷媒が流通する部分に取り付け、この電動弁の冷媒が流通する部分を覆う構成としたから、防振材の形状を特定させることが可能となり、組立およびメンテナンス時の作業性をも向上し、かつ、冷媒音の発生をも軽減できる。
【００２８】
また、防振材は、取り付けて固定するための粘着材などを使用せずに済み、何度でも再使用することができるため、環境面に対しても好適である。
【００２８】
【図面の簡単な説明】
【図１】  室外ユニットの構成を示した概略図である。
【図２】  室外ユニットの機械室内部を表した図である。
【図３】  電動弁の内部構造を示した断面図である。
【図４】  本発明による防振材を電動弁２５の側方で、継手３８寄りのやや上方の位置から示した図および、切れ込みの部分で切断した断面図である。
【図５】  本発明による防振材の電動弁２５の側方で、継手３８とは反対側のやや上方の位置から示した図である。
【符号の説明】
１  室外ユニット
２  外装ケース
３  外装ケース
４  底面板
５  仕切板
６  上下仕切板
７  熱交換器室
８  機械室
９  室外制御部
１０  排出口
１１  吹出しグリル
１２  取っ手
１３  切り欠き
１４  配線口
１５  開口
１６  台座
１７  配管板
１８  バルブ
１８Ａ  液管バルブ
１８Ｂ  ガス管バルブ
１９  室外熱交換器
２０  室外送風機
２１  室外送風機アングル
２２  圧縮機
２３  アキュームレータ
２４  四方弁
２５  電動弁
２６  キャピラリチューブ
２７  リアクタ
２８  室外電装箱
２９  端子板
３０  コネクタ
３１  ヒューズホルダ
３２  防振材
３３  コイル部
３４  電動弁本体部
３５  コイルケース
３６  コイル
３７  制御配線
３８  継手
３９  継手
４０  本体
４１  ケース
４２  下蓋
４３  本体部
４４  制御部
４５  弁座
４６  ニードル
４７  調流部
４８  ステム
４９  ガイド
５０  スライダ
５１  樹脂ロータ
５２  マグネット
５３  雌ネジ
５４  雄ネジ
５５  制限部
５６  回転部
５７  突起
５８  ストッパ
５９  凸部
６０  凹部
６１  切れ込み
６２  切れ込み
【図１】
0003711065.tif 000002
【図２】
0003711065.tif 000003
【図３】
0003711065.tif 000004
【図４】
0003711065.tif 000005
【図５】
0003711065.tif 000006